(57)【要約】【課題】  放射線量情報の把握が容易であるとともに破損や故障等に対する信頼性を向上するのに好適なハイブリッド線量計を提供する。【解決手段】  電子式線量計２２０は、放射線量を測定する測定部１０と、記憶部１２と、測定部１０で測定した放射線量に基づいて積算放射線量情報を記憶部１２に記録する演算部１４と、測定部１０で測定した放射線量に基づいて放射線量情報を表示する表示部１６と、ガラス線量計２３０が受けた積算放射線量を取得する放射線量取得部１８とを備える。演算部１４は、復元要求を入力したときは、放射線量取得部１８で取得した積算放射線量に基づいて記憶部１２の積算放射線量情報を復元する。【選択図】  図１
2018066749.tif 000002
【特許請求の範囲】
【請求項１】
電子式線量計及びガラス線量計を備えるハイブリッド線量計の放射線量情報管理システムであって、
前記電子式線量計は、記憶手段と、放射線量を測定する測定手段と、前記測定手段で測定した放射線量に基づいて放射線量情報を通知する通知手段と、前記測定手段で測定した放射線量に基づいて積算放射線量情報を前記記憶手段に記録する第１記録手段とを備え、
前記ガラス線量計が受けた積算放射線量を取得する取得手段と、
前記取得手段で取得した積算放射線量に基づいて積算放射線量情報を前記記憶手段に記録する第２記録手段とを備えることを特徴とする放射線量情報管理システム。
【請求項２】
請求項１において、
前記記憶手段の積算放射線量情報を取得する放射線量情報取得手段と、
前記放射線量情報取得手段で取得した積算放射線量情報から得られる積算放射線量と、前記取得手段で取得した積算放射線量とが所定関係を満たしているかを判定する判定手段とを備えることを特徴とする放射線量情報管理システム。
【請求項３】
電子式線量計及びガラス線量計を備えるハイブリッド線量計の放射線量情報管理システムであって、
前記電子式線量計は、記憶手段と、放射線量を測定する測定手段と、前記測定手段で測定した放射線量に基づいて放射線量情報を通知する通知手段と、前記測定手段で測定した放射線量に基づいて積算放射線量情報を前記記憶手段に記録する第１記録手段とを備え、
前記ガラス線量計が受けた積算放射線量を取得する取得手段と、
前記記憶手段の積算放射線量情報を取得する放射線量情報取得手段と、
前記放射線量情報取得手段で取得した積算放射線量情報から得られる積算放射線量と、前記取得手段で取得した積算放射線量とが所定関係を満たしているかを判定する判定手段とを備えることを特徴とする放射線量情報管理システム。
【発明の詳細な説明】
【技術分野】
【０００１】
本発明は、電子式線量計及びガラス線量計を備えるハイブリッド線量計の放射線量情報管理システムに係り、特に、放射線量情報の把握が容易であるとともに破損や故障等に対する信頼性を向上するのに好適なハイブリッド線量計に関する。
【背景技術】
【０００２】
２０１１年の福島第一原発の事故に起因して福島県を中心に、広範囲に放射性汚染及び環境の空間線量率の上昇が生じている。環境汚染のレベルは地域によって異なるが、汚染レベルと人体への影響を調査・探究するためには、住民の健康状態を長期間にわたって観察していく必要があると国は認識している。
【０００３】
そこで、放射性物質による環境汚染（以下、「放射能汚染」という。）の可能性のある地域又は施設に居住又は滞在した者を含み、人がその生活行動において被曝したであろう放射線の線量の蓄積推移の把握を希望する者（以下、「被曝放射線量評価対象者」という。）は、個人線量計をストラップ等で首から提げ常時携行し、自己の被曝放射線量を測定することにより健康状態を管理している。
【０００４】
従来の個人線量計としては、個人線量計が受ける放射線量を測定し、測定した放射線量を表示するものが知られている。また、測定した放射線量が所定値以上となったときは、警告を通知するものが知られている（特許文献１、２）。
【先行技術文献】
【特許文献】
【０００５】
【特許文献１】特開２００７−１０１４６７号公報
【特許文献２】特開２００６−３５０２３６号公報
【発明の概要】
【発明が解決しようとする課題】
【０００６】
被曝放射線量評価対象者については、被曝放射線量を長期・継続的に測定する必要があるところ、従来の個人線量計及び特許文献１、２記載の線量計等の電子式線量計にあっては、破損や故障等が生じると、これまで記録していた積算放射線量情報が消失する可能性があった。一方、ガラス線量計は、電子式線量計に比して破損や故障等に対する耐性は高いものの、現在受けている放射線量（瞬間値）を把握することができない。また、積算放射線量も、ガラス線量計リーダを所持していなければ把握することができない。
【０００７】
そこで、本発明は、このような従来の技術の有する未解決の課題に着目してなされたものであって、放射線量情報の把握が容易であるとともに破損や故障等に対する信頼性を向上するのに好適なハイブリッド線量計を提供することを目的としている。
【課題を解決するための手段】
【０００８】
〔発明１〕  上記目的を達成するために、発明１の放射線量情報管理システムは、電子式線量計及びガラス線量計を備えるハイブリッド線量計の放射線量情報管理システムであって、前記電子式線量計は、記憶手段と、放射線量を測定する測定手段と、前記測定手段で測定した放射線量に基づいて放射線量情報を通知する通知手段と、前記測定手段で測定した放射線量に基づいて積算放射線量情報を前記記憶手段に記録する第１記録手段とを備え、前記ガラス線量計が受けた積算放射線量を取得する取得手段と、前記取得手段で取得した積算放射線量に基づいて積算放射線量情報を前記記憶手段に記録する第２記録手段とを備える。
【０００９】
このような構成であれば、電子式線量計では、放射線を受けると、測定手段により、放射線量が測定され、通知手段により、測定された放射線量に基づいて放射線量情報が通知される。また、第１記録手段により、測定された放射線量に基づいて積算放射線量情報が記憶手段に記録される。
【００１０】
また、ガラス線量計では、放射線を受けると、受けた放射線量に応じた積算放射線量情報が記録される。
【００１１】
電子式線量計に破損や故障等が生じた場合は、新たな電子式線量計に交換する。そして、取得手段により、ガラス線量計が受けた積算放射線量が取得され、第２記録手段により、取得された積算放射線量に基づいて積算放射線量情報が記憶手段に記録される。したがって、新たな電子式線量計において、ガラス線量計が受けた積算放射線量に基づいて積算放射線量情報が復元される。
【００１２】
ここで、ハイブリッド線量計とは、電子式線量計及びガラス線量計を組み合わせて一つの目的をなすものをいい、その目的は、使用者が被曝したとされる積算放射線量を２系統で測定することにある。この目的が達成される限り、電子式線量計及びガラス線量計は、一体で構成してもよいし、別体で構成してもよい。以下、発明３の放射線量情報管理システムにおいて同じである。
【００１３】
また、通知手段は、放射線量情報を通知するようになっていればどのような構成であってもよく、例えば、視覚、聴覚、嗅覚、味覚及び触覚のいわゆる五感で知覚可能な通知方法により放射線量情報を通知することができる。この通知方法としては、例えば、発光、表示、印刷、発音、音声出力、振動又は発熱等を採用することができる。その他、メール送信又は通信等の通知方法を採用することもできる。以下、発明３の放射線量情報管理システムにおいて同じである。
【００１４】
また、通知手段で通知する放射線量情報は、単位時間当たりの放射線量情報及び積算放射線量情報を含む概念である。以下、発明３の放射線量情報管理システムにおいて同じである。
【００１５】
また、取得手段は、積算放射線量を取得するようになっていればどのような構成であってもよく、例えば、入力装置等から積算放射線量を入力するようになっていてもよいし、外部の端末等から積算放射線量を獲得又は受信するようになっていてもよいし、記憶装置や記憶媒体等から積算放射線量を読み取るようになっていてもよい。したがって、取得には、少なくとも入力、獲得、受信及び読出が含まれる。以下、取得の概念については同じである。
【００１６】
また、電子式線量計及びガラス線量計は、本発明の構成要素ではない。以下、発明３の放射線量情報管理システムにおいて同じである。
【００１７】
また、本システムは、単一の装置、端末その他の機器として実現するようにしてもよいし、複数の装置、端末その他の機器を通信可能に接続したネットワークシステムとして実現するようにしてもよい。後者の場合、各構成要素は、それぞれ通信可能に接続されていれば、複数の機器等のうちいずれに属していてもよい。以下、発明３の放射線量情報管理システムにおいて同じである。
【００１８】
〔発明２〕  さらに、発明２の放射線量情報管理システムは、発明１の放射線量情報管理システムにおいて、前記記憶手段の積算放射線量情報を取得する放射線量情報取得手段と、前記放射線量情報取得手段で取得した積算放射線量情報から得られる積算放射線量と、前記取得手段で取得した積算放射線量とが所定関係を満たしているかを判定する判定手段とを備える。
【００１９】
このような構成であれば、測定の適否を確認する場合は、取得手段により、ガラス線量計が受けた積算放射線量が取得され、放射線量情報取得手段により、記憶手段の積算放射線量情報が取得される。そして、判定手段により、放射線量情報取得手段で取得された積算放射線量情報から得られる積算放射線量と、取得手段で取得された積算放射線量とが所定関係を満たしているかが判定される。
【００２０】
ここで、所定関係を満たすこととしては、例えば、放射線量情報取得手段で取得した積算放射線量情報から得られる積算放射線量（この段落において「第１積算放射線量」という。）と、取得手段で取得した積算放射線量（この段落において「第２積算放射線量」という。）とが一致していること、第１積算放射線量を用いて所定演算式により演算を行った結果と第２積算放射線量とが一致していること、第２積算放射線量を用いて所定演算式により演算を行った結果と第１積算放射線量とが一致していること、第１積算放射線量を用いて所定演算式により演算を行った結果と第２積算放射線量を用いて所定演算式により演算を行った結果とが一致することが挙げられる。また、第１積算放射線量と第２積算放射線量との差分が所定以下又は所定範囲内であること、第１積算放射線量を用いて所定演算式により演算を行った結果と第２積算放射線量との差分が所定以下又は所定範囲内であること、第２積算放射線量を用いて所定演算式により演算を行った結果と第１積算放射線量との差分が所定以下又は所定範囲内であること、第１積算放射線量を用いて所定演算式により演算を行った結果と第２積算放射線量を用いて所定演算式により演算を行った結果との差分が所定以下又は所定範囲内であることが挙げられる。以下、発明３の放射線量情報管理システムにおいて同じである。
【００２１】
〔発明３〕  さらに、発明３の放射線量情報管理システムは、電子式線量計及びガラス線量計を備えるハイブリッド線量計の放射線量情報管理システムであって、前記電子式線量計は、記憶手段と、放射線量を測定する測定手段と、前記測定手段で測定した放射線量に基づいて放射線量情報を通知する通知手段と、前記測定手段で測定した放射線量に基づいて積算放射線量情報を前記記憶手段に記録する第１記録手段とを備え、前記ガラス線量計が受けた積算放射線量を取得する取得手段と、前記記憶手段の積算放射線量情報を取得する放射線量情報取得手段と、前記放射線量情報取得手段で取得した積算放射線量情報から得られる積算放射線量と、前記取得手段で取得した積算放射線量とが所定関係を満たしているかを判定する判定手段とを備える。
【００２２】
このような構成であれば、電子式線量計では、放射線を受けると、測定手段により、放射線量が測定され、通知手段により、測定された放射線量に基づいて放射線量情報が通知される。また、第１記録手段により、測定された放射線量に基づいて積算放射線量情報が記憶手段に記録される。
【００２３】
また、ガラス線量計では、放射線を受けると、受けた放射線量に応じた積算放射線量情報が記録される。
【００２４】
測定の適否を確認する場合は、取得手段により、ガラス線量計が受けた積算放射線量が取得され、放射線量情報取得手段により、記憶手段の積算放射線量情報が取得される。そして、判定手段により、放射線量情報取得手段で取得された積算放射線量情報から得られる積算放射線量と、取得手段で取得された積算放射線量とが所定関係を満たしているかが判定される。
【発明の効果】
【００２５】
以上説明したように、発明１の放射線量情報管理システムによれば、電子式線量計では、測定された放射線量に基づいて放射線量情報が通知されるので、放射線量情報の把握が容易となるという効果が得られる。また、電子式線量計に破損や故障等が生じた場合は、交換した新たな電子式線量計において、ガラス線量計が受けた積算放射線量に基づいて積算放射線量情報が復元されるので、破損や故障等に対する信頼性を向上することができるという効果が得られる。
【００２６】
さらに、発明２又は３の放射線量情報管理システムによれば、電子式線量計の積算放射線量とガラス線量計の積算放射線量とが所定関係を満たしている場合は、２系統での測定が適正に行われていることを確認することができるという効果が得られる。
【図面の簡単な説明】
【００２７】
【図１】本実施の形態に係るシステムの全体構成の概要を示す図である。
【図２】演算部１４で実行されるパルス演算処理を示すフローチャートである。
【図３】演算部１４で実行される放射線量演算処理を示すフローチャートである。
【図４】演算部１４で実行される復元処理を示すフローチャートである。
【図５】判定部３４で実行される適正判定処理を示すフローチャートである。
【図６】電子式線量計２２０の積算パルス数を定期的にサーバ等に記録する場合の復元方法を説明するための図である。
【発明を実施するための形態】
【００２８】
以下、本発明の実施の形態を説明する。
まず、本実施の形態に係るシステムの構成を説明する。
【００２９】
図１は、本実施の形態に係るシステムの全体構成の概要を示す図である。
被曝放射線量評価対象者２００は、図１に示すように、ハイブリッド線量計２１０をストラップ等で首から提げ、常時携行している。ハイブリッド線量計２１０は、電子式線量計２２０及びガラス線量計２３０を対にしてストラップ等で連結したものである。ここで、被曝放射線量評価対象者２００は、狭義には放射能汚染の可能性のある地域又は施設に居住又は滞在した者を指すが、被曝放射線量評価対象者２００が識別カード等を所持することにより、差別等を受けることがないように、また、対照群として機能するように、放射能汚染の可能性のない地域の住民も対象者に含めてもよい。ハイブリッド線量計２１０は、ハイブリッド線量計２１０が受けた放射線量を測定するものであって、被曝放射線量評価対象者２００が密着携行していることから、ハイブリッド線量計２１０で測定した放射線量は、被曝放射線量評価対象者２００が被曝した被曝放射線量と同等であるとみなすことができる。ハイブリッド線量計２１０は、放射線量を測定することができればどのような方式・構造のものであってもよく、例えば、公知の線量計を採用することができる。電子式線量計２２０には、ガイガーミュラー管式、ｐｉｎフォトダイオード式、シンチレーション式、半導体検出方式を含む。ガラス線量計２３０には、蛍光ガラス線量計、フィルム線量計、熱ルミネンス線量計、物質が受けた放射線量に比例して変化し、放射線量を蓄積させる線量計を含む。
【００３０】
次に、電子式線量計２２０の構成を説明する。
電子式線量計２２０は、例えば、電池等の電源で駆動する個人線量計として構成することができる。電子式線量計２２０は、図１に示すように、放射線量を測定する測定部１０と、積算放射線量情報を記憶する記憶部１２と、測定部１０で測定した放射線量に基づいて積算放射線量を演算する演算部１４と、演算部１４での演算で得られた放射線量に基づいて放射線量情報を表示する表示部１６と、ガラス線量計２３０が受けた積算放射線量を取得する放射線量取得部１８と、記憶部１２の積算放射線量情報を出力する出力部２０とを有して構成されている。
【００３１】
測定部１０は、例えば、ｐｉｎフォトダイオードからなるサーベイメータとして構成することができ、放射線を受けると、放射線を検出したことを示すパルス（以下、「測定パルス」という。）を出力する。
【００３２】
記憶部１２は、例えば、不揮発性メモリとして構成することができ、積算放射線量情報として積算パルス数を記憶する。
【００３３】
演算部１４は、例えば、マイクロプロセッシングユニットとして構成することができ、測定部１０から測定パルスを入力したときは、記憶部１２の積算パルス数をカウントアップする。
【００３４】
表示部１６は、例えば、ＬＣＤ（Liquid Crystal Display）として構成することができる。
【００３５】
放射線量取得部１８は、例えば、ガラス線量計リーダとして構成することができる。ガラス線量計２３０のガラスに紫外線を当てると、そのガラスで受けた積算放射線量に応じた光量の光を発光する現象（ラジオフォトルミネッセンス）を利用し、ガラス線量計２３０のガラスから光量を読み取り、読み取った光量に基づいて積算放射線量を算出する。
【００３６】
出力部２０は、例えば、ＵＳＢ（Universal Serial Bus）等のインターフェースとして構成することができ、記憶部１２の積算パルス数を出力する。
【００３７】
次に、演算部１４の処理を説明する。
図２は、演算部１４で実行されるパルス演算処理を示すフローチャートである。
【００３８】
演算部１４は、電源が投入されると、記憶部１２において積算パルス数を記憶するための第１積算カウンタの値及び積算時間を記憶するための第２積算カウンタの値を初期化し、その後は、所定周期（例えば、２００[ms]）ごとに、図２のフローチャートに示すパルス演算処理を実行する。
【００３９】
演算部１４では、パルス演算処理が実行されると、図２に示すように、まず、ステップＳ１００に移行する。
【００４０】
ステップＳ１００では、測定部１０から測定パルスを入力したか否かを判定し、測定パルスを入力したと判定したとき(YES)は、ステップＳ１０２に移行して、第１積算カウンタの値をカウントアップすることにより積算パルス数を「１」カウントアップし、ステップＳ１０４に移行する。
【００４１】
ステップＳ１０４では、測定パルス波形を表示部１６に表示し、ステップＳ１０６に移行して、第１積算カウンタの値に基づいて積算パルス数を表示部１６に表示し、ステップＳ１０８に移行して、第２積算カウンタの値に基づいて積算時間を表示部１６に表示し、ステップＳ１１０に移行する。
【００４２】
ステップＳ１１０では、第１積算カウンタの値に基づいて積算パルス数が所定以上であるか否かを判定し、所定以上であると判定したとき(YES)は、ステップＳ１１２に移行して、警告を表示部１６に表示し、一連の処理を終了する。
【００４３】
一方、ステップＳ１１０で、積算パルス数が所定以上でないと判定したとき(NO)、及びステップＳ１００で、測定パルスを入力しないと判定したとき(NO)はいずれも、一連の処理を終了する。
【００４４】
なお、第２積算カウンタの値は、所定周期（例えば、１[ｓ]）ごとにカウントアップする。
【００４５】
図３は、演算部１４で実行される放射線量演算処理を示すフローチャートである。
演算部１４は、図２のフローチャートに示すパルス演算処理と並列に、所定周期（例えば、１[ｓ]）ごとに、図３のフローチャートに示す放射線量演算処理を実行する。
【００４６】
演算部１４では、放射線量演算処理が実行されると、図３に示すように、まず、ステップＳ２００に移行する。
【００４７】
ステップＳ２００では、単位時間当たり（例えば、現在から１分前まで）の積算パルス数[cpm]を取得し、ステップＳ２０２に移行して、取得した単位時間当たりの積算パルス数に所定の係数を乗じて単位時間当たりの放射線量[mSv/h]を算出し、ステップＳ２０４に移行して、算出した単位時間当たりの放射線量を表示部１６に表示し、一連の処理を終了する。
【００４８】
図４は、演算部１４で実行される復元処理を示すフローチャートである。
演算部１４は、所定周期（例えば、２００[ms]）ごとに、図４のフローチャートに示す復元処理を実行する。復元処理の実行にあたっては、ガラス線量計２３０を放射線量取得部１８にセットする。
【００４９】
演算部１４では、復元処理が実行されると、図４に示すように、まず、ステップＳ３００に移行する。
【００５０】
ステップＳ３００では、被曝放射線量評価対象者２００が操作するための操作手段（不図示）等により積算放射線量情報の復元要求を入力したか否かを判定し、復元要求を入力したと判定したとき(YES)は、ステップＳ３０２に移行する。
【００５１】
ステップＳ３０２では、放射線量取得部１８によりガラス線量計２３０から積算放射線量を取得し、ステップＳ３０４に移行して、取得した積算放射線量に所定の係数を乗じて積算パルス数を算出し、ステップＳ３０６に移行して、算出した積算パルス数を第１積算カウンタに記録し、一連の処理を終了する。
【００５２】
一方、ステップＳ３００で、復元要求を入力しないと判定したとき(NO)は、一連の処理を終了する。
【００５３】
次に、ガラス線量計２３０の構成を説明する。
ガラス線量計２３０は、例えば、蛍光ガラス線量計として構成することができる。ガラス線量計２３０は、銀活性化リン酸塩ガラス中での銀イオンの化学的変化を利用しているもので、放射線により生成した銀の二価イオン（Ａｇ2+）又は銀粒子（Ａｇ0）が作る蛍光中心が極めて安定しているので、積算放射線量情報の消失が年１％未満と極めて少ない。また、蛍光中心は、測定しても消滅せず、何度も繰り返し読み取ることができるので、測定の統計精度を上げ、安定した測定値を得ることができる。
【００５４】
次に、検査装置２４０の構成を説明する。
検査装置２４０は、電子式線量計２２０及びガラス線量計２３０の２系統での測定が適正であるか否かを検査する装置であって、例えば、学校、病院、公共機関等に設置されるものである。
【００５５】
検査装置２４０は、図１に示すように、ガラス線量計２３０が受けた積算放射線量を取得する放射線量取得部３０と、電子式線量計２２０から積算放射線量情報を入力する入力部３２と、入力部３２で入力した積算放射線量情報及び放射線量取得部３０で取得した積算放射線量に基づいて適正判定を行う判定部３４と、判定部３４の判定結果に基づいて２系統での測定が適正又は不適正である旨を表示する表示部３６とを有して構成されている。
【００５６】
放射線量取得部３０は、放射線量取得部１８と同様に構成することができ、表示部３６は、表示部１６と同様に構成することができる。
【００５７】
入力部３２は、例えば、ＵＳＢ等のインターフェースとして構成することができ、出力部２０から積算パルス数を入力する。
【００５８】
判定部３４は、例えば、マイクロプロセッシングユニットとして構成することができ、入力部３２で入力した積算パルス数に相当する積算放射線量と、放射線量取得部３０で取得した積算放射線量との差分が所定以下であるか否かを判定する。
【００５９】
次に、判定部３４の処理を説明する。
図５は、判定部３４で実行される適正判定処理を示すフローチャートである。
【００６０】
判定部３４は、所定周期（例えば、２００[ms]）ごとに、図５のフローチャートに示す適正判定処理を実行する。適正判定処理の実行にあたっては、電子式線量計２２０の出力部２０と入力部３２をケーブル等で接続し、ガラス線量計２３０を放射線量取得部３０にセットする。
【００６１】
判定部３４では、適正判定処理が実行されると、図５に示すように、まず、ステップＳ４００に移行する。
【００６２】
ステップＳ４００では、放射線量取得部３０によりガラス線量計２３０から積算放射線量を取得し、ステップＳ４０２に移行して、入力部３２を介して電子式線量計２２０から積算パルス数を取得し、ステップＳ４０４に移行して、取得した積算パルス数に所定の係数を乗じて積算放射線量を算出し、ステップＳ４０６に移行する。
【００６３】
ステップＳ４０６では、ステップＳ４００で取得したガラス線量計２３０の積算放射線量と、ステップＳ４０４で算出した電子式線量計２２０の積算放射線量との差分が所定以下であるか否かを判定し、所定以下であると判定したとき(YES)は、ステップＳ４０８に移行する。
【００６４】
ステップＳ４０８では、２系統での測定が適正である旨を表示部３６に表示し、一連の処理を終了する。
【００６５】
一方、ステップＳ４０６で、ガラス線量計２３０の積算放射線量と電子式線量計２２０の積算放射線量との差分が所定以下でないと判定したとき(NO)は、ステップＳ４１０に移行して、２系統での測定が不適正である旨を表示部３６に表示し、一連の処理を終了する。
【００６６】
次に、本実施の形態の動作を説明する。
電子式線量計２２０では、放射線を受けると、測定部１０により測定パルスが出力される。演算部１４では、測定パルスを入力すると、積算パルス数がカウントアップされるとともに、測定パルス波形が表示部１６に表示される。表示部１６では、測定パルス波形の他に、積算パルス数及び積算時間などが表示される。また、操作手段等を操作することにより単位時間当たりの放射線量も表示される。そして、積算パルス数又は単位時間当たりの放射線量が所定以上となると、警告が表示される。
【００６７】
ガラス線量計２３０では、ガラスで放射線を受けると、受けた放射線量に応じた積算放射線量情報が記録される。
【００６８】
電子式線量計２２０に破損や故障等が生じた場合は、新たな電子式線量計２２０に交換する。そして、ガラス線量計２３０を放射線量取得部１８にセットし、操作手段等により復元要求を入力すると、放射線量取得部１８によりガラス線量計２３０から積算放射線量が取得され、取得された積算放射線量に基づいて積算パルス数が算出され、算出された積算パルス数が記憶部１２に記録される。したがって、新たな電子式線量計２２０において、記憶部１２の積算パルス数に相当する積算放射線量と、ガラス線量計２３０の積算放射線量が同一となるように積算放射線量情報が復元される。
【００６９】
次に、２系統での測定の適否を確認する場合は、検査装置２４０において、電子式線量計２２０の出力部２０と入力部３２をケーブル等で接続し、ガラス線量計２３０を放射線量取得部３０にセットすると、放射線量取得部３０によりガラス線量計２３０から積算放射線量が取得され、入力部３２を介して電子式線量計２２０から積算パルス数が取得される。そして、取得された積算パルス数に基づいて積算放射線量が算出され、ガラス線量計２３０の積算放射線量と、電子式線量計２２０の積算放射線量との差分が所定以下であるか否かが判定される。その結果、差分が所定以下であると判定されると、２系統での測定が適正である旨が表示部３６に表示される。これに対し、差分が所定以下でないと判定されると、２系統での測定が不適正である旨が表示部３６に表示される。
【００７０】
このようにして、本実施の形態では、電子式線量計２２０は、放射線量を測定する測定部１０と、記憶部１２と、測定部１０で測定した放射線量に基づいて積算放射線量情報を記憶部１２に記録する演算部１４と、測定部１０で測定した放射線量に基づいて放射線量情報を表示する表示部１６と、ガラス線量計２３０が受けた積算放射線量を取得する放射線量取得部１８とを備え、演算部１４は、復元要求を入力したときは、放射線量取得部１８で取得した積算放射線量に基づいて記憶部１２の積算放射線量情報を復元する。
【００７１】
これにより、電子式線量計２２０では、測定された放射線量に基づいて放射線量情報が表示されるので、放射線量情報の把握が容易となる。また、電子式線量計２２０に破損や故障等が生じた場合は、交換した新たな電子式線量計２２０において、ガラス線量計２３０が受けた積算放射線量に基づいて積算放射線量情報が復元されるので、破損や故障等に対する信頼性を向上することができる。
【００７２】
さらに、本実施の形態では、検査装置２４０は、ガラス線量計２３０が受けた積算放射線量を取得する放射線量取得部３０と、記憶部１２の積算放射線量情報を取得する入力部３２と、入力部３２で取得した積算放射線量情報から得られる積算放射線量と、放射線量取得部３０で取得した積算放射線量との差分が所定以下であるかを判定する判定部３４とを備える。
【００７３】
これにより、電子式線量計２２０の積算放射線量とガラス線量計２３０の積算放射線量との差分が所定以下である場合は、２系統での測定が適正に行われていることを確認することができる。電子式線量計２２０の放射線量（瞬間値）とガラス線量計２３０の積算放射線量とを常に、または１時間ごと、または２４時間ごと、またはガラス線量計から信頼できる測定値を得られる期間ごとに比較する構成とすれば、電子式線量計２２０の放射線量（瞬間値）が合っているかどうかを判定することができる。その結果、瞬間値、または積算放射線量が合っていないと判定した場合は、電子式線量計２２０の故障等を発見することができ、信頼性が向上する。また瞬間値によるアラームの信頼性も向上することができる。
【００７４】
本実施の形態において、測定部１０は、発明１又は３の測定手段に対応し、記憶部１２は、発明１乃至３の記憶手段に対応し、表示部１６は、発明１又は３の通知手段に対応し、演算部１４は、発明１若しくは３の第１記録手段、又は発明１の第２記録手段に対応している。また、放射線量取得部１８、３０は、発明１乃至３の取得手段に対応し、入力部３２は、発明２又は３の放射線量情報取得手段に対応し、判定部３４は、発明２又は３の判定手段に対応している。
【００７５】
〔他の実施の形態〕
なお、上記実施の形態においては、新たな電子式線量計２２０において、記憶部１２の積算パルス数に相当する積算放射線量と、ガラス線量計２３０の積算放射線量が同一となるように積算放射線量情報を復元するように構成したが、これに限らず、電子式線量計２２０の積算パルス数を定期的にサーバ等に記録する場合は、次のような構成を採用することもできる。
【００７６】
図６は、電子式線量計２２０の積算パルス数を定期的にサーバ等に記録する場合の復元方法を説明するための図である。
【００７７】
図６では、４／１において、電子式線量計２２０及びガラス線量計２３０による測定を同時に開始する。サーバには、電子式線量計２２０の積算パルス数を月初に送信し記録することにした場合、５／１において、４／１から４／３０までの積算パルス数がサーバに記録される。そして、５／２０（午前０時）において、電子式線量計２２０が破損したとする。この場合、新たな電子式線量計２２０に交換する。そして、ガラス線量計２３０を放射線量取得部１８にセットし、操作手段等により復元要求を入力すると、サーバから４／１から４／３０までの積算パルス数（Ａ）が取得される。積算パルス数（Ａ）は、例えば、１．０[mSv]に相当するものとする。次に、放射線量取得部１８によりガラス線量計２３０から積算放射線量（例えば、１．５[mSv]）が取得される。これは、４／１から５／１９までの積算放射線量であるので、ガラス線量計２３０より取得された積算放射線量から、積算パルス数（Ａ）に相当する積算放射線量を減算することにより５／１から５／１９までの積算放射線量が算出され、算出された積算放射線量に基づいて積算パルス数（Ｂ）が算出される。積算パルス数（Ｂ）は、例えば、０．５[mSv]に相当する。そして、記憶部１２には、積算パルス数（Ａ）と積算パルス数（Ｂ）を加算した値が記録される。このような構成であっても、結果として、新たな電子式線量計２２０において、記憶部１２の積算パルス数に相当する積算放射線量と、ガラス線量計２３０の積算放射線量が同一となるように積算放射線量情報が復元される。
【００７８】
また、上記実施の形態並びにその変形例においては、放射線量取得部１８及び演算部１４の復元処理に係る機能を電子式線量計２２０に内蔵したが、これに限らず、ガラス線量計２３０若しくは検査装置２４０に内蔵し、又はその他の装置として構成することもできる。
【００７９】
また、上記実施の形態並びにその変形例においては、放射線量取得部３０、入力部３２、判定部３４及び表示部３６を検査装置２４０として構成したが、これに限らず、電子式線量計２２０又はガラス線量計２３０に内蔵することもできる。電子式線量計２２０に内蔵する場合、放射線量取得部１８、３０は一つでよい。
【００８０】
また、上記実施の形態並びにその変形例においては、判定部３４の判定結果に基づいて２系統での測定が適正又は不適正である旨を表示するように構成したが、これに限らず、判定部３４の判定結果に基づいて他の処理を行うように構成することもできる。他の処理としては、例えば、電子式線量計２２０の積算放射線量とガラス線量計２３０の積算放射線量との差分が所定以下である場合は、両者の平均値をデータベースに記録し、差分が所定以下でない場合は、ガラス線量計２３０の積算放射線量をデータベースに記録するなどの処理が考えられる。
【符号の説明】
【００８１】
２００…被曝放射線量評価対象者、  ２１０…ハイブリッド線量計、  ２２０…電子式線量計、  １０…測定部、  １２…記憶部、  １４…演算部、  １６…表示部、  １８…放射線量取得部、  ２０…出力部、  ２３０…ガラス線量計、  ２４０…検査装置、  ３０…放射線量取得部、  ３２…入力部、  ３４…判定部、  ３６…表示部
【図１】
2018066749.tif 000003
【図２】
2018066749.tif 000004
【図３】
2018066749.tif 000005
【図４】
2018066749.tif 000006
【図５】
2018066749.tif 000007
【図６】
2018066749.tif 000008